(57)【要約】【課題】画像読取部で発生した衝撃が画像形成部に伝わりにくくする。【解決手段】本実施形態では、支持部３１０と本体フレーム４００との間及び、支持部３１０と上板４０７との間に配置された緩衝部材３１４が、画像読取部２００から本体フレーム４００へ伝わる衝撃を緩衝するので、画像読取部で発生した衝撃が画像形成部１００に伝わりにくい。これにより、画像形成部１００が形成する画像に欠陥が生じにくい。【選択図】図２
2008090001.tif 000002
【特許請求の範囲】
【請求項１】
読み取り対象から画像を読み取る画像読取部と、
前記画像読取部が読み取った画像に基づいて記録媒体へ画像を形成する画像形成部と、
前記画像形成部を収容するフレームと、
前記フレームに取り付けられ、前記画像読取部を片持ち状で支持する支持部と、
前記画像読取部から前記フレームへ伝わる衝撃を緩衝する緩衝部材と、
を備えたことを特徴とする画像形成装置。
【請求項２】
前記緩衝部材は、前記支持部と前記フレームとの間に配置されていることを特徴とする請求項１に記載の画像形成装置。
【請求項３】
前記支持部は、前記フレームに回転可能に支持され、
前記緩衝部材は、前記支持部に当たって前記支持部の回転を阻止する阻止部と、前記支持部との間に配置されていることを特徴とする請求項２に記載の画像形成装置。
【請求項４】
前記支持部は、前記フレームに形成された差込孔に差し込まれ、
前記緩衝部材は、前記差込孔の孔壁に配置されていることを特徴とする請求項１に記載の画像形成装置。
【請求項５】
前記緩衝部材は、前記支持部内に設けられていることを特徴とする請求項１に記載の画像形成装置。
【請求項６】
前記支持部は、前記フレームから立設する支柱部と、前記支柱部から横方向へ張り出し前記画像読取部を支持する片持ち部と、を備えて構成され、
前記緩衝部材は、前記支柱部と前記片持ち部との間に配置されていることを特徴とする請求項５に記載の画像形成装置。
【請求項７】
前記片持ち部は、前記支柱部に回転可能に支持され、
前記緩衝部材は、前記片持ち部に当たって前記片持ち部の回転を阻止する阻止部と、前記片持ち部との間に設けられていることを特徴とする請求項６に記載の画像形成装置。
【請求項８】
前記支持部が変位する変位量を増幅して変位し、前記緩衝部材を圧縮する圧縮機構を備えたことを特徴とする請求項１に記載の画像形成装置。
【請求項９】
前記支持部は、前記フレームから立設する支柱部と、前記支柱部から横方向へ張り出し前記画像読取部を支持する方持ち部と、を備えて構成され、
前記圧縮機構は、一端部が前記支柱部に回転可能に連結され他端部が前記片持ち部に回転可能に連結され一定間隔をおいて配置された一対の梁と、前記梁に沿って配置された腕部を有すると共に前記一対の梁の中間部を回転可能に連結するリンク部材と、を備えて構成され、
前記緩衝部材は、前記腕部と前記梁との間に配置されていることを特徴とする請求項８に記載の画像形成装置。
【請求項１０】
前記圧縮機構は、一端部が前記フレームに回転可能に連結され他端部が前記支持部に回転可能に連結され一定間隔をおいて配置された一対の梁と、前記梁に沿って配置された腕部を有すると共に前記一対の梁の中間部を回転可能に連結するリンク部材と、を備えて構成され、
前記緩衝部材は、前記腕部と梁との間に配置されていることを特徴とする請求項８に記載の画像形成装置。
【請求項１１】
前記圧縮機構は、前記支持部に回転可能に支持され、一端部が前記支持部の自由端側に固定され、他端部が前記一端部の変位量を増幅して前記緩衝部材を圧縮する梃子部材であることを特徴とする請求項１に記載の画像形成装置。
【請求項１２】
前記フレームは、前記画像読取部の画像書き込み装置を支持することを特徴とする請求項１〜１１のいずれか１項に記載の画像形成装置。
【請求項１３】
前記画像読取部の自由端側には、前記画像読取部の操作部が設けられたことを特徴とする請求項１〜１２のいずれか１項に記載の画像形成装置。
【請求項１４】
前記画像読取部は、その基端側に取り付けられ、前記画像読取部の自由端側で開閉される開閉部を備えたことを特徴とする請求項１〜１３のいずれか１項に記載の画像形成装置。
【発明の詳細な説明】
【技術分野】
【０００１】
本発明は、画像形成装置に関する。
【背景技術】
【０００２】
画像形成装置としては、読み取り対象から画像を読み取る画像読取部と、画像読取部が読み取った画像に基づいて記録媒体へ画像を形成する画像形成部とを備えた画像形成装置が知られている（特許文献１〜６参照）。
【０００３】
このような画像形成装置では、画像形成部が収容されるフレームの上部に支持部材を取付け、この支持部材によって画像読取部を片持ち状で支持する画像形成装置がある。
【０００４】
また、画像読取部には、読み取り対象としての原稿を載せるプラテンガラスと、プラテンガラスに載せられた原稿を上から押さえるカバーとが設けられているものがある。
【０００５】
この画像読取部では、カバーを開放して、原稿をプラテンガラスに載せ、カバーを閉めてプラテンガラスに載せられた原稿を上から押される。
【特許文献１】特開２００５−０４３５４０号公報
【特許文献２】特開平０３−２３１５６２号公報
【特許文献３】特開２００２−２０２６４４号公報
【特許文献４】特開２００３−０８４５１７号公報
【特許文献５】特開平１０−０２６８５４号公報
【特許文献６】特開平１１−３２７２４４号公報
【発明の開示】
【発明が解決しようとする課題】
【０００６】
上記のように、カバーが開け閉めされると、その衝撃が支持部材を介してフレームに伝わってしまう。フレームに衝撃が伝わると、フレームに収容された画像形成部が振動し、乱れた画像が形成されてしまうおそれがある。
【０００７】
本発明は、上記事実を考慮し、画像読取部で発生した衝撃が画像形成部に伝わりにくい画像形成装置を提供することを目的とする。
【課題を解決するための手段】
【０００８】
本発明の請求項１に係る画像形成装置は、読み取り対象から画像を読み取る画像読取部と、前記画像読取部が読み取った画像に基づいて記録媒体へ画像を形成する画像形成部と、前記画像形成部を収容するフレームと、前記フレームに取り付けられ、前記画像読取部を片持ち状で支持する支持部と、前記画像読取部から前記フレームへ伝わる衝撃を緩衝する緩衝部材と、を備えたことを特徴とする。
【０００９】
この構成によれば、画像読取部が、読み取り対象から画像を読み取る。画像形成部が、画像読取部が読み取った画像に基づいて記録媒体へ画像を形成する。
【００１０】
画像形成部を収容するフレームに取り付けられた支持部が、画像読取部を片持ち状で支持する。緩衝部材が、画像読取部からフレームへ伝わる衝撃を緩衝する。
【００１１】
このように、請求項１では、画像読取部を、画像形成部が収容されたフレームに取り付けられた支持部により片持ち状で支持するので、コンパクトな画像形成装置が形成できる。
【００１２】
また、画像読取部を片持ち状で支持すると支持状態が不安定となり、画像読取部が振動しやすくなるが、緩衝部材が、画像読取部からフレームへ伝わる衝撃を緩衝するので、画像読取部で発生した衝撃が画像形成部に伝わりにくい。
【００１３】
本発明の請求項２に係る画像形成装置は、請求項１の構成において、前記緩衝部材は、前記支持部と前記フレームとの間に配置されていることを特徴とする。
【００１４】
この構成によれば、緩衝部材が、支持部とフレームとの間に配置されているので、支持部とフレームとの取付け部分で衝撃が緩衝され、フレームへ伝わる衝撃を効率よく緩衝できる。
【００１５】
本発明の請求項３に係る画像形成装置は、請求項２の構成において、前記支持部は、前記フレームに回転可能に支持され、前記緩衝部材は、前記支持部に当たって前記支持部の回転を阻止する阻止部と、前記支持部との間に配置されていることを特徴とする。
【００１６】
この構成によれば、支持部の回転は、阻止部が支持部に当たって阻止される。このとき、阻止部と支持部との間に配置された緩衝部材が、支持部と阻止部との間で挟まれ、画像読取部からフレームへ伝わる衝撃を緩衝する。
【００１７】
フレームと支持部とを強固に接合する場合に比べ、支持部を回転可能に支持すると、その支持部分がたわみやすくなり、振動が集まりやすい。この支持部分に緩衝部材を配置することにより、衝撃を効率よく緩衝できる。
【００１８】
本発明の請求項４に係る画像形成装置は、請求項１の構成において、前記支持部は、前記フレームに形成された差込孔に差し込まれ、前記緩衝部材は、前記差込孔の孔壁に配置されていることを特徴とする。
【００１９】
この構成によれば、支持部は、フレームに形成された差込孔に差し込まれるので、組み立てが容易となる。
【００２０】
本発明の請求項５に係る画像形成装置は、請求項１の構成において、前記緩衝部材は、前記支持部内に設けられていることを特徴とする。
【００２１】
この構成によれば、支持部内で、衝撃を緩衝できる。支持部とフレームとの間に緩衝部材を設ける構成ではないので、支持部とフレームとの接合部が強固にできる。
【００２２】
本発明の請求項６に係る画像形成装置は、請求項５の構成において、前記支持部は、前記フレームから立設する支柱部と、前記支柱部から横方向へ張り出し前記画像読取部を支持する片持ち部と、を備えて構成され、前記緩衝部材は、前記支柱部と前記片持ち部との間に配置されていることを特徴とする。
【００２３】
この構成によれば、緩衝部材が、フレームから立設する支柱部と、支柱部から張り出し画像読取部を支持する片持ち部との間で、衝撃を緩衝するので、片持ち部の振動を効率よく減衰できる。
【００２４】
本発明の請求項７に係る画像形成装置は、請求項６の構成において、前記片持ち部は、前記支柱部に回転可能に支持され、前記緩衝部材は、前記片持ち部に当たって前記片持ち部の回転を阻止する阻止部と、前記片持ち部との間に設けられていることを特徴とする。
【００２５】
この構成によれば、片持ち部の回転は、阻止部が片持ち部に当たって阻止される。このとき、阻止部と片持ち部との間に配置された緩衝部材が、片持ち部と阻止部との間で挟まれ、画像読取部からフレームへ伝わる衝撃を緩衝する。
【００２６】
片持ち部と支柱部とを強固に接合する場合に比べ、片持ち部を回転可能に支持すると、その支持部分がたわみやすくなり、振動が集まりやすい。この支持部分に緩衝部材を配置することにより、衝撃を効率よく緩衝できる。
【００２７】
本発明の請求項８に係る画像形成装置は、請求項１の構成において、前記支持部が変位する変位量を増幅して変位し、前記緩衝部材を圧縮する圧縮機構を備えたことを特徴とする。
【００２８】
この構成によれば、圧縮機構が、支持部が変位する変位量を増幅して、緩衝部材を圧縮し、画像読取部からフレームに伝わる衝撃を緩衝する。
【００２９】
このため、画像読取部で発生した衝撃が小さくても、圧縮機構が緩衝部材を作用させ、衝撃を効率よく緩衝する。
【００３０】
本発明の請求項９に係る画像形成装置は、請求項８の構成において、前記支持部は、前記フレームから立設する支柱部と、前記支柱部から横方向へ張り出し前記画像読取部を支持する方持ち部と、を備えて構成され、前記圧縮機構は、一端部が前記支柱部に回転可能に連結され他端部が前記片持ち部に回転可能に連結され一定間隔をおいて配置された一対の梁と、前記梁に沿って配置された腕部を有すると共に前記一対の梁の中間部を回転可能に連結するリンク部材と、を備えて構成され、前記緩衝部材は、前記腕部と前記梁との間に配置されていることを特徴とする。
【００３１】
この構成によれば、片持ち部が上下方向へ変位すると、それに伴って一対の梁が変位する。変位した梁と腕部とで、緩衝部材を圧縮し、画像読取部からフレームに伝わる衝撃を緩衝する。このため、片持ち部が上下方向に変位することで生じる衝撃を効率よく緩衝する。
【００３２】
本発明の請求項１０に係る画像形成装置は、請求項８の構成において、前記圧縮機構は、一端部が前記フレームに回転可能に連結され他端部が前記支持部に回転可能に連結され一定間隔をおいて配置された一対の梁と、前記梁に沿って配置された腕部を有すると共に前記一対の梁の中間部を回転可能に連結するリンク部材と、を備えて構成され、前記緩衝部材は、前記腕部と梁との間に配置されていることを特徴とする。
【００３３】
この構成によれば、支持部が変位すると、それに伴って一対の梁が変位する。変位した梁と腕部とで、緩衝部材を圧縮し、画像読取部からフレームに伝わる衝撃を緩衝する。このため、支持部が変位することで生じる衝撃を効率よく緩衝する。
【００３４】
本発明の請求項１１に係る画像形成装置は、請求項１の構成において、前記圧縮機構は、前記支持部に回転可能に支持され、一端部が前記支持部の自由端側に固定され、他端部が前記一端部の変位量を増幅して前記緩衝部材を圧縮する梃子部材であることを特徴とする。
【００３５】
この構成によれば、支持部の自由端側が振動すると、一端部が支持部の自由端側に固定された梃子部材が回転し、梃子部材の他端部が一端部の変位量を増幅して緩衝部材を圧縮する。このため、画像読取部で発生した衝撃が小さくても、梃子部材が緩衝部材を作用させ、衝撃を効率よく緩衝する。
【００３６】
本発明の請求項１２に係る画像形成装置は、請求項１〜１１のいずれか１項の構成において、前記フレームは、前記画像読取部の画像書き込み装置を支持することを特徴とする。
【００３７】
この構成によれば、緩衝部材で画像読取部からフレームへ伝わる衝撃を緩衝することにより、フレームに支持された画像書き込み装置の振動を抑え、形成される画像の乱れを防止する。
【００３８】
本発明の請求項１３に係る画像形成装置は、請求項１〜１２のいずれか１項の構成において、前記画像読取部の自由端側には、前記画像読取部の操作部が設けられたことを特徴とする。
【００３９】
この構成によれば、画像読取部の自由端側に、画像読取部の操作部が設けられているので、操作部を操作することにより、画像読取部で振動が発生しやすい。従って、画像読取部で発生した衝撃が画像形成部に伝わりにくくする本発明の構成が、特に有効となる。
【００４０】
本発明の請求項１４に係る画像形成装置は、請求項１〜１３のいずれか１項の構成において、前記画像読取部は、その基端側に取り付けられ、前記画像読取部の自由端側で開閉される開閉部を備えたことを特徴とする。
【００４１】
この構成によれば、画像読取部の基端側に取り付けられた開閉部は、画像読取部の自由端側で開閉されるため、画像読取部で振動が発生しやすい。従って、画像読取部で発生した衝撃が画像形成部に伝わりにくくする本発明の構成が、特に有効となる。
【発明の効果】
【００４２】
本発明は、上記構成としたので、画像読取部で発生した衝撃が画像形成部に伝わりにくい。
【発明を実施するための最良の形態】
【００４３】
以下に、本発明の画像形成装置に係る実施形態の一例を図面に基づき説明する。
【００４４】
（画像形成装置の全体構成）
まず、本実施形態に係る画像形成装置としてのデジタル複写機１０の全体構成について説明する。図１には、本実施形態に係るデジタル複写機１０の全体構成が示されている。図２には、本実施形態に係るデジタル複写機１０において、画像読取部２００のプラテンカバー２０２を開放した状態が示されている。
【００４５】
なお、説明の便宜上、画像読取部２００の基端側（後述する支持部３１０によって支持されている側）を装置の後方として、画像読取部２００の自由端側を装置の前方側として説明する。また、装置の前方側からデジタル複写機１０に対面した場合における右側を装置の右方とし、左側を装置の左方として説明する。
【００４６】
本実施形態に係るデジタル複写機１０は、図１に示すように、装置上部に配置された画像読取部２００と、装置下部に配置された画像形成部１００とを備えて構成されている。
【００４７】
このデジタル複写機１０では、画像読取部２００が、読み取り対象としての原稿から画像を読み取り、その読み取った画像を電気的な画像信号に変換し、画像形成部１００が画像読取部２００によって変換された画像信号に基づいて画像を形成するようになっている。
【００４８】
画像読取部２００は、図１及び図２に示すように、画像読取部本体２０３を備え、画像読取部本体２０３には、読み取り対象となる原稿を載せるプラテンガラス２０８が設けられている。プラテンガラス２０８の上部には、プラテンガラス２０８に載せられた原稿を保持する開閉部としてのプラテンカバー２０２が設けられている。
【００４９】
プラテンカバー２０２は、画像読取部本体２０３の基端側（後方側）に開閉可能に取り付けられており、画像読取部２００の自由端側においてプラテンカバー２０２は開閉される。
【００５０】
プラテンカバー２０２の上部には、自動原稿送り装置２０６が設けられており、自動原稿送り装置２０６は、その上部に積載された原稿を自動的に搬送し、プラテンガラス２０８上を通過させる。
【００５１】
プラテンガラス２０８の下方には、図２に示すように、ＣＣＤ等から構成されると共に装置前方側から装置後方側に細長く形成された読取バー２１０が設けられている。読取バー２１０は、走査駆動機構２１２によって、左右方向に走査し、プラテンガラス２０８に載せられた原稿の画像を読み取る。具体的には、プラテンガラス２０８上の原稿へ、図示しない光学系から照射光が照射され、その照射光が原稿で反射し、その反射光を読取バー２１０が検出し、電気的な画像信号に変換するように構成されている。
【００５２】
また、プラテンカバー２０２の自由端側（画像読取部２００の自由端側）には、画像読取部２００を操作するため操作部としての操作パネル２１３が設けられている。なお、操作パネル２１３は、画像読取部本体２０３の自由端側に設ける構成であっても良い。
【００５３】
画像形成部１００には、図１に示すように、所定方向（図１において矢印Ａ方向）へ回転する感光体ドラム１２が配設されている。そして、画像形成部１００の前方側には、回転式現像装置５０が配設されている。
【００５４】
また、感光体ドラム１２の表面は、感光体ドラム１２の下側に配置された帯電器１４によって、所定の電位に帯電された後、感光体ドラム１２の下方に配置された光走査装置１６から出射されたレーザビームＬによって露光が行われ、前述した画像読取部２００で読み取った原稿のデジタル画像データに基づいた潜像が形成される。すなわち、本実施形態においては、光走査装置１６が、画像を感光体ドラム１２に書き込む画像書き込み装置を構成する。
【００５５】
感光体ドラム１２の表面に形成された潜像は、回転式現像装置５０の周方向に沿って配置され、マゼンタ（Ｍ）、イエロー（Ｙ）、シアン（Ｃ）及びブラック（Ｋ）の各色の現像器５２Ｙ，５２Ｍ，５２Ｃ，５２Ｋによって現像され、所定の色のトナー像となる。なお、各現像機５２Ｙ，５２Ｍ，５２Ｃ，５２Ｋは、交換可能なトナーカートリッジ５４Ｙ，５４Ｍ，５４Ｃ，５４Ｋを備えている。
【００５６】
感光体ドラム１２の表面に形成されたトナー像は、複数のロール１８と転写ロール３５とで張架され、矢印Ｃ方向に回転する中間転写ベルト３０に１次転写される。なお、１次転写されずに感光体ドラム１２の表面に残った未転写残留トナーは、感光体ドラムクリーニング装置２０で除去される。
【００５７】
なお、回転式現像装置５０は、回転軸Ｋを中心に矢印Ｂ方向に回転し、形成する画像の色に対応する色の現像器５２Ｙ，５２Ｍ，５２Ｃ、５２Ｋの現像ロール５６Ｙ，５６Ｍ，５６Ｙ，５６Ｋを、順次、現像位置Ｇに移動し、各色の現像を行う。
【００５８】
そして、帯電・露光・現像・１次転写・感光体ドラムクリーニングの各工程が、形成する画像の色に応じて、所定の回数だけ繰り返される。このようにして、中間転写ベルト３０には各色トナー像が多重転写され重ね合わされてフルカラー画像となる。
【００５９】
一方、画像形成部１００の下側には、記録紙Ｐが収容された給紙カセット２２が配置されている。
【００６０】
記録紙Ｐは、給紙ローラ２４によって送り出され、レジストローラ３３によって所定のタイミングで二次転写位置Ｔに送られ、中間転写ベルト３０のフルカラートナー像が、２次転写ロール３２と転写ロール３５とによって、一括して記録紙Ｐに２次転写される。なお、２次転写されずに残った中間転写ベルト３０の未転写残留トナーは、転写ベルトクリーニング装置３７で除去される。
【００６１】
フルカラートナー像が転写した記録紙Ｐは、装置後方の上部に配置された定着器３６に送られる。定着器３６は熱と圧力とで記録紙Ｐにフルカラートナー像を定着する。フルカラートナー像が定着した記録紙Ｐは、画像形成部１００の上部の排紙トレイ４０に排紙される。
【００６２】
（画像読取部の支持構造）
次に、本実施形態に係るデジタル複写機１０における画像読取部２００の支持構造について説明する。図３には、本実施形態に係るデジタル複写機１０における画像読取部２００の支持構造が、分解斜視図にて示されている。なお、図３は、画像形成部１００の各種カバー（外装カバー等）を外すと共に、画像読取部２００のプラテンカバー２０２を外した状態を示す図である。
【００６３】
デジタル複写機１０は、図３に示すように、板金からなる本体フレーム４００を備えている。本体フレーム４００は、対向する側板４０２、４０４と、側板４０２、４０４の間に架設された複数の横板４０６と、側板４０２、４０４の上面に架設された上板４０７とを備えている。
【００６４】
この本体フレーム４００に画像形成部１００が収容されており、少なくとも、画像書き込み装置としての光走査装置１６は、本体フレーム４００に支持されている。また、側板４０２の側面には、電源回路基板等が収容される箱体４１０が設けられている。
【００６５】
本体フレーム４００の上板４０７の上面には、画像読取部２００を片持ち状で支持する支持部３１０が固定されている。
【００６６】
支持部３１０は、側面から見ると「コ」の字状に形成されており、装置前方側に溝部３１２が形成されている。また、支持部３１０は、左右方向に長くされた長尺形状に形成され、その長さは、一方の側板４０２から他方の側板４０４に達する長さとされている。支持部３１０の前後方向の長さは、少なくとも、画像読取部２００の前後方向の長さよりも短くされている。
【００６７】
支持部３１０の上面には、画像読取部２００の一端部の下面が固定され、画像読取部２００は、支持部３１０によって、片持ち状で支持される。
【００６８】
支持部３１０と画像読取部２００との間には、画像読取部２００から本体フレーム４００へ伝わる衝撃を緩衝する緩衝部材３１４が、支持部３１０の左右方向（長手方向）両端部に設けられている。この緩衝部材３１４は、支持部３１０の上部に形成された凹部３１０Ａ、３１０Ｂに取り付けられており、画像読取部２００に形成された凹部（図示省略）にはめ込まれる。これにより、緩衝部材３１４は、支持部３１０と画像読取部２００とに接触した状態となる。
【００６９】
また、支持部３１０と上板４０７との間にも、画像読取部２００から本体フレーム４００へ伝わる衝撃を緩衝する緩衝部材３１４が、支持部３１０の左右方向（長手方向）両端部に設けられている。この緩衝部材３１４は、支持部３１０の下部に形成された凹部３１０Ｃ、３１０Ｄに取り付けられており、本体フレーム４００に形成された凹部４０５にはめ込まれる。これにより、緩衝部材３１４は、支持部３１０と本体フレーム４００とに接触した状態となる。
【００７０】
この緩衝部材３１４としては、防振ゴム等の弾性部材などが用いられる。なお、緩衝部材３１４は、支持部３１０と画像読取部２００との間及び支持部３１０と上板４０７との間の両方に設けられているが、どちら一方のみに設けられた構成であっても良い。
【００７１】
次に、上記の実施形態について作用を説明する。
【００７２】
本実施形態の構成によれば、本体フレーム４００に取り付けられた支持部３１０が、画像読取部２００を片持ち状で支持するので、コンパクトな画像形成装置が形成でき、装置の設置面積が小さくて済む。
【００７３】
その一方で、支持状態が不安定となり、画像読取部２００が振動しやすくなる。また、画像読取部２００のプラテンカバー２０２は、画像読取部本体２０３の基端側（後方側）に開閉可能に取り付けられており、プラテンカバー２０２を開閉すると、その衝撃が画像読取部２００の自由端側で発生しやすい。また、画像読取部２００の自由端側には、操作パネル２１３が設けられており、操作部を操作することにより、振動が発生しやすい。
【００７４】
しかしながら、本実施形態では、支持部３１０と本体フレーム４００との間及び、支持部３１０と上板４０７との間に配置された緩衝部材３１４が、画像読取部２００から本体フレーム４００へ伝わる衝撃を緩衝するので、画像読取部で発生した衝撃が画像形成部１００に伝わりにくい。これにより、画像形成部１００が形成する画像に欠陥が生じにくい。
【００７５】
特に、本実施形態では、光走査装置１６が本体フレーム４００に支持されているので、衝撃を緩衝する効果が高くなる。
【００７６】
また、支持部３１０と本体フレーム４００との間に緩衝部材３１４が配置されており、支持部３１０と本体フレーム４００との取付け部分（支持部３１０の根元の部分）で衝撃を緩衝するので、効率よく緩衝できる。
【００７７】
（第１変形例）
次に、第１変形例について説明する。
【００７８】
上記の第１実施形態では、支持部３１０は、本体フレーム４００に固定されていたが、第１変形例は、画像読取部２００を片持ち状で支持する支持部が、本体フレーム４００に回転可能に支持される構成である。
【００７９】
図４及び図５には、第１変形例における画像読取部２００の支持構造が、分解斜視図にて示されている。なお、図４及び図５は、画像形成部１００の各種カバー（外装カバー等）を外すと共に、画像読取部２００のプラテンカバー２０２を外した状態を示す図である。
【００８０】
図４に示すように、画像読取部２００の後方側には、画像読取部２００を片持ち状で支持する支持部としての一対の支柱部３２０が設けられている。一対の支柱部３２０は、その上端部が、画像読取部２００の左右の側端部の下面に、それぞれ固定され、支柱部３２０は画像読取部２００を支持している。
【００８１】
支柱部３２０の下端部には、回転軸３２４が通される通し孔３２６が形成されている。また、支柱部３２０の下端部の後方側の背面には、緩衝部材３２２が設けられている。
【００８２】
緩衝部材３２２としては、緩衝部材３１４と同様に、防振ゴム等の弾性部材などが用いられる。
【００８３】
一方、本体フレーム４００の上板４０７には、支柱部３２０を回転可能に支持する一対の支持フレーム４０８が設けられている。一対の支持フレーム４０８は、その下端部が、上板４０７の上面の左右に、それぞれ固定されている。
【００８４】
支持フレーム４０８は、一対の側板４０８Ａと、側板４０８Ａの後方側に側板４０８Ａと一体に設けられた後方板４０８Ｂとを備えて構成されている。
【００８５】
側板４０８Ａには、回転軸３２４を通される通し孔４１２が形成されている。側板４０８Ａに挟まれた空間に支柱部３２０の下端部が差し込まれた状態で、側板４０８Ａの通し孔４１２及び支柱部３２０の通し孔３２６に回転軸３２４が通されることにより、支柱部３２０は、支持フレーム４０８に回転可能に支持される。
【００８６】
後方板４０８Ｂは、支柱部３２０に当たって、支柱部３２０の回転を阻止する阻止部として作用し、支柱部３２０は、後方板４０８Ｂに当たって状態において、本体フレーム４００に立設される。
【００８７】
支柱部３２０の下端部に設けられた緩衝部材３２２は、支柱部３２０と後方板４０８Ｂとの間に配置され、支柱部３２０が後方板４０８Ｂに当たる際に、支柱部３２０と後方板４０８Ｂとの間に挟まれる。これにより、緩衝部材３２２が画像読取部２００から本体フレーム４００へ伝わる衝撃を緩衝する。
【００８８】
なお、画像読取部２００を支持する支柱部３２０としては、図５に示すように、支柱部３２０の上部から装置前方へ張り出した梁部材３２８を備える支柱部３２０であっても良い。
この梁部材３２８は、底板３２８Ａと側板３２８Ｂとを備えて構成され、底板３２８Ａには、画像読取部２００の下面が固定され、側板３２８Ｂには、画像読取部２００の側面が固定される。また、支持フレーム４０８の側板４０８Ａは、図５に示すように、１枚のみを設ける構成であっても良い。
【００８９】
第１変形例の構成によれば、支柱部３２０は、本体フレーム４００の後方板４０８Ｂに当たって、回転を阻止される。緩衝部材３２２は、後方板４０８Ｂと支柱部３２０との間に挟まれて、画像読取部２００から本体フレーム４００へ伝わる衝撃を緩衝する。
【００９０】
本体フレーム４００と支柱部３２０とを強固に接合する場合に比べ、支柱部３２０を回転可能に支持すると、その支持部分がたわみやすくなり、振動が集まりやすい。この支持部分に緩衝部材３２２を配置することにより、衝撃を効率よく緩衝できる。
【００９１】
（第２変形例）
次に、第２変形例について説明する。
【００９２】
上記の第１実施形態では、支持部３１０は、本体フレーム４００の上面に固定されていたが、第２変形例は、画像読取部２００を片持ち状で支持する支持部が、本体フレーム４００の差込孔４１４に差し込まれる構成である。
【００９３】
図６には、第２変形例における画像読取部２００の支持構造が、分解斜視図にて示されている。なお、図６は、画像形成部１００の各種カバー（外装カバー等）を外すと共に、画像読取部２００のプラテンカバー２０２を外した状態を示す図である。
【００９４】
図６に示すように、画像読取部２００の後方側には、画像読取部２００を片持ち状で支持する支持部としての一対の支柱部３３０が設けられている。一対の支柱部３３０は、その上端部が、画像読取部２００の左右の側端部の下面に、それぞれ固定され、支柱部３３０は画像読取部２００を支持している。
【００９５】
支柱部３３０の下端部には、支柱部３３０よりも細くされ、円筒形状に形成された差込突部３３２が設けられている。
【００９６】
この差込突部３３２に対応して、本体フレーム４００の上板４０７には、一対の差込孔４１４が形成されている。差込孔４１４は、上板４０７の後方の左右にそれぞれ配置されており、この差込孔４１４に支柱部３３０が差し込まれることにより、支柱部３３０は本体フレーム４００上に立設される。
【００９７】
また、差込孔４１４の孔壁には、その周方向の全面に、画像読取部２００から本体フレーム４００へ伝わる衝撃を緩衝する緩衝部材３３３が設けられている。緩衝部材３３３としては、緩衝部材３１４と同様に、防振ゴム等の弾性部材などが用いられる。
【００９８】
なお、緩衝部材３３３は、差込孔４１４の孔壁の周方向一部に設けられる構成であっても良い。
【００９９】
第２変形例の構成によれば、支柱部３３０は、本体フレーム４００に形成された差込孔４１４に差し込まれるので、組み立てが容易となる。また、差込突部３３２と緩衝部材３３３との接触面積を確保できるので、画像読取部２００から本体フレーム４００へ伝わる衝撃を効率よく緩衝する。
【０１００】
（第３変形例）
次に、第３変形例について説明する。
【０１０１】
上記の第１実施形態では、支持部３１０は、一の部材で構成されていたが、第３変形例は、支持部３４０が複数の部材を備える構成である。
【０１０２】
図７には、第３変形例における画像読取部２００の支持構造が、分解斜視図にて示されている。なお、図７は、画像形成部１００の各種カバー（外装カバー等）を外すと共に、画像読取部２００のプラテンカバー２０２を外した状態を示す図である。
【０１０３】
図７に示すように、第３変形例に係る支持部３４０は、本体フレーム４００から立設する一対の支柱部３４４と、支柱部３４４から装置前方へ張り出し画像読取部２００を支持する片持ち部としての梁部材３４７とを備えて構成されている。
【０１０４】
一対の支柱部３４４は、本体フレーム４００の上板４０７の上面の後方側に、左右それぞれ固定されている。支柱部３４４の上面には、ネジ３４１が螺合するねじ孔３４６が形成されている。
【０１０５】
この支柱部３４４の上面には、画像読取部２００から本体フレーム４００へ伝わる衝撃を緩衝する緩衝部材３４８が取り付けられている。緩衝部材３４８としては、緩衝部材３１４と同様に、防振ゴム等の弾性部材などが用いられる。緩衝部材３４８には、ネジ３４１が螺合するねじ孔３４９が形成されている。
【０１０６】
緩衝部材３４８の上面には、画像読取部２００を支持する梁部材３４７が設けられている。梁部材３４７は、底板３４７Ａと側板３４７Ｂとを備えて構成され、底板３４７Ａには、画像読取部２００の下面が固定され、側板３４７Ｂには、画像読取部２００の側面が固定される。また、底板３４７Ａには、ネジ３４１と螺合するねじ孔３４３が形成されている。
【０１０７】
第３変形例では、支柱部３４４上に緩衝部材３４８及び梁部材３４７が積載され、梁部材３４７のねじ孔３４３、緩衝部材３４８のねじ孔３４９、支柱部３４４のねじ孔３４６にネジ３４１が螺合される。そして、梁部材３４７に画像読取部２００が固定される。
これにより、第３変形例における支持部３４０が形成され、支柱部３４４と梁部材３４７との間に緩衝部材３４８が配置される。
【０１０８】
第３変形例の構成によれば、緩衝部材３４８が、支柱部３４４と梁部材３４７との間で、衝撃を緩衝するので、梁部材３４７の振動を効率よく減衰できる。
【０１０９】
（第４変形例）
次に、第４変形例について説明する。
【０１１０】
上記の第１実施形態では、支持部３１０は、一の部材で構成されていたが、第４変形例は、支持部３５０が複数の部材を備えると共に、一の部材が他の部材に対して回転可能に支持される構成である。
【０１１１】
図８には、第４変形例における画像読取部２００の支持構造が、分解斜視図にて示されている。なお、図８は、画像形成部１００の各種カバー（外装カバー等）を外すと共に、画像読取部２００のプラテンカバー２０２を外した状態を示す図である。
【０１１２】
図８に示すように、第４変形例に係る支持部３５０は、本体フレーム４００から立設する一対の支柱部３５２と、支柱部３５２から張り出し画像読取部２００を支持する片持ち部としての梁部材３５４とを備えて構成されている。
【０１１３】
梁部材３５４は、装置の前後方向に延び設けられた角筒形状をしている。梁部材３５４の後方側の背面には、画像読取部２００から本体フレーム４００へ伝わる衝撃を緩衝する緩衝部材３５５が設けられている。この緩衝部材３５５の上部には、回転軸３５７が通される通し孔３５９が形成されている。
【０１１４】
一方、一対の支柱部３５２は、本体フレーム４００の上板４０７の上面の後方側に、左右それぞれ固定されている。支柱部３５２の上部には、一対の側板３５６Ａと、側板３５６Ａの後方側に側板３５６Ａと一体に設けられた後方板３５６Ｂとが形成されている。
【０１１５】
側板３５６Ａには、回転軸３５７が通される通し孔３５８が形成されている。側板３５６Ａに挟まれた空間に梁部材３５４が差し込まれた状態で、側板３５６Ａの通し孔３５８及び梁部材３５４の通し孔３５９回転軸３５７が通されることにより、梁部材３５４は、支柱部３５２に回転可能に支持される。
【０１１６】
後方板３５６Ｂは、梁部材３５４に当たって、梁部材３５４の回転を阻止する阻止部として作用し、梁部材３５４は、後方板３５６Ｂに当たって状態において、支柱部３５２から前方へ張り出した状態となる。
【０１１７】
梁部材３５４の背面に設けられた緩衝部材３５５は、梁部材３５４と後方板３５６Ｂとの間に配置され、梁部材３５４が後方板３５６Ｂに当たる際に、梁部材３５４と後方板３５６Ｂとの間に挟まれる。これにより、緩衝部材３５５が画像読取部２００から本体フレーム４００へ伝わる衝撃を緩衝する。
【０１１８】
第４変形例の構成によれば、梁部材３５４は、後方板３５６Ｂに当たって回転が阻止される。緩衝部材３５５は、後方板３５６Ｂと梁部材３５４との間で、画像読取部２００から本体フレーム４００へ伝わる衝撃を緩衝する。
【０１１９】
支柱部３５２と梁部材３５４を強固に接合する場合に比べ、梁部材３５４を回転可能に支持すると、その支持部分がたわみやすくなり、振動が集まりやすい。この支持部分に緩衝部材３５５を配置することにより、衝撃を効率よく緩衝できる。
【０１２０】
（第５変形例）
次に、第５変形例について説明する。
【０１２１】
第５変形例は、支持部３６０が変位する変位量を増幅して、緩衝部材３６６を圧縮し、画像読取部２００から本体フレーム４００に伝わる衝撃を緩衝する圧縮機構を備えた構成である。
【０１２２】
図９には、第５変形例における画像読取部の支持構造が、斜視図にて示されている。図１０（Ａ）は、第５変形例における画像読取部の支持構造を示す側面図であり、図１０（Ｂ）は、第５変形例における画像読取部の支持構造において梁部材が撓んだ状態を示す側面図である。なお、図９及び図１０では、本体フレーム４００を省略して図示し、画像読取部２００を簡略化して示している。
【０１２３】
図９及び図１０に示すように、第５変形例に係る支持部３６０は、本体フレーム４００に立設する支柱部３６２と、支柱部３６２から前方へ張り出し画像読取部２００を支持する片持ち部としての支持板３６３とを備えている。
【０１２４】
支柱部３６２は、直方体形状に形成され、支柱部３６２の上部に支持板３６３が固定されている。支持板３６３は、画像読取部２００が載せられる天板３６３Ｂと、天板３６３Ｂの側方に天板３６３Ｂと一体に形成された側板３６３Ａとを備えて構成されている。
【０１２５】
側板３６３Ａの側面には、支持部３６０が変位する変位量を増幅して、緩衝部材３６６を圧縮し、画像読取部２００から本体フレーム４００に伝わる衝撃を緩衝する圧縮機構３６９が配置されている。
【０１２６】
圧縮機構３６９は、側板３６３Ａの側面に取付けられた一対の梁３６４、３６７を備えている。梁３６４は、側板３６３Ａの上部に配置され、梁３６７は、側板３６３Ａの下部に配置されている。
【０１２７】
梁３６４は、一端部が、回転軸３６４Ａによって支柱部３６２の上部に回転可能に連結され、他端部が、回転軸３６４Ｂによって側板３６３Ａの自由端側に回転可能に連結されている。梁３６７は、一端部が、回転軸３６７Ａによって支柱部３６２の上部に回転可能に連結され、他端部が、回転軸３６７Ｂによって側板３６３Ａの自由端側に回転可能に連結されている。
【０１２８】
梁３６４、３６７は、装置の前後方向に沿って、一定間隔をおいて平行に配置されている。また、図１０（Ａ）及び図１０（Ｂ）に示すように、回転軸３６４Ａと回転軸３６７Ａとを結ぶ線Ｌ１と、回転軸３６４Ｂと回転軸３６７Ｂとを結ぶ線Ｌ２が平行となるように、回転軸３６４Ａ、回転軸３６７Ａ、回転軸３６４Ｂ、回転軸３６７Ｂの位置が調整されている。
【０１２９】
一対の梁３６４、３６７の間には、一対の梁３６４、３６７の中間部を回転可能に連結するリンク部材３６５が側板３６３Ａの前後方向中央部に設けられている。リンク部材３６５は、一端部が回転軸３６５Ａによって梁３６４の中間部に連結され、他端部が回転軸３６５Ｂによって梁３６７の中間部に連結されている。リンク部材３６５は、回転軸３６４Ａと回転軸３６７Ａとを結ぶ線Ｌ１と、回転軸３６４Ｂと回転軸３６７Ｂとを結ぶ線Ｌ２とに平行に配置されている。
【０１３０】
また、リンク部材３６５は、梁３６４、３６７に沿って配置された腕部３６５Ａ、３６５Ｂを有している。腕部３６５Ａ、３６５Ｂの先端部と梁３６４、３６７の長手方向両端部との間には、それぞれ、緩衝部材３６６が設けられている。緩衝部材３６６としては、緩衝部材３１４と同様に、防振ゴム等の弾性部材などが用いられる。
【０１３１】
画像読取部２００の前方側が下方へ押されて、支柱部３６２に対して支持板３６３の自由端部が下方へ変位すると、図１０（Ｂ）に示すように、梁３６４、３６７が斜めに傾く。
【０１３２】
梁３６４、３６７が斜めに傾くことにより、回転軸３６４Ａと回転軸３６７Ａとを結ぶ線Ｌ１に対する梁３６４の角度Ａ（図１０（Ｂ）参照）、回転軸３６４Ｂと回転軸３６７Ｂとを結ぶ線Ｌ２に対する梁３６７の角度Ｄ（図１０（Ｂ）参照）が大きくなる。例えば、支柱部３６２に対して支持板３６３が変位していない状態において（図１０（Ａ）参照）、角度Ａ及び角度Ｄが９０度であれば、支柱部３６２に対して支持板３６３の自由端部が下方へ変位して、梁３６４、３６７が斜めに傾くことにより、角度Ａ及び角度Ｄは鈍角になる。
【０１３３】
また、回転軸３６４Ａと回転軸３６７Ａとを結ぶ線Ｌ１に対する梁３６７の角度Ｂ（図１０（Ｂ）参照）、回転軸３６４Ｂと回転軸３６７Ｂとを結ぶ線Ｌ２に対する梁３６４の角度Ｃ（図１０（Ｂ）参照）が小さくなる。例えば、支柱部３６２に対して支持板３６３が変位していない状態において（図１０（Ａ）参照）角度Ｂ及び角度Ｃが９０度であれば、支柱部３６２に対して支持板３６３の自由端部が下方へ変位して梁３６４、３６７が斜めに傾くことにより、角度Ｂ及び角度Ｃは鋭角になる。
【０１３４】
このとき、リンク部材３６５は、回転軸３６４Ａと回転軸３６７Ａとを結ぶ線Ｌ１及び回転軸３６４Ｂと回転軸３６７Ｂとを結ぶ線Ｌ２に対して、平行に保たれるので、腕部３６８Ａは梁３６７へ接近し、腕部３６８Ｂは梁３６４へ接近する。これにより、腕部３６８Ａと梁３６７とが、その間にある緩衝部材３６６を圧縮し、画像読取部２００から本体フレーム４００へ伝わる衝撃を緩衝する。
【０１３５】
この構成では、支持板３６３の前後方向中央部における振動（変位量）が、リンク部材３６５を介し、てこの利用より増幅されて、腕部３６８Ａの先端部及び腕部３６８Ｂの先端部へ伝達される。
【０１３６】
この腕部３６８Ａの先端部及び腕部３６８Ｂの先端部が緩衝部材３６６の圧縮、引張りを繰り返すことにより、振動エネルギーが熱エネルギーに変換され、支持板３６３の振動が効率よく抑えられる。
【０１３７】
従って、支柱部３６２と支持板３６３との間に緩衝部材を設けて、緩衝部材を単純に圧縮する場合に比べ、緩衝部材の圧縮量は増幅する。
【０１３８】
このように、第５変形例の構成によれば、圧縮機構３６９が、支持板３６３が変位する変位量を増幅して、緩衝部材３６６を圧縮し、画像読取部２００から本体フレーム４００に伝わる衝撃を緩衝する。このため、画像読取部２００から本体フレーム４００へ伝わる衝撃が小さくても、緩衝部材３６６が作用して、衝撃を効率よく緩衝する。
【０１３９】
なお、一対の梁３６７と、リンク部材３６５と、緩衝部材３６６とで構成される第５変形例の圧縮機構を小型化し、緩衝部材として用いても良い。例えば、上記の第１実施形態においては、緩衝部材３１４に替えて、小型化した圧縮機構を、支持部３１０と本体フレーム４００との間及び、支持部３１０と上板４０７との間に配置する構成とすることができる。
【０１４０】
（第６変形例）
次に、第６変形例について説明する。
【０１４１】
第５変形例では、支柱部３６２と支持板３６３との間に圧縮機構が設けられていたが、第６変形例は、圧縮機構を支柱部３６２と本体フレーム４００との間に設けた構成である。
【０１４２】
図１１には、第６変形例における画像読取部の支持構造が、斜視図にて示されている。
【０１４３】
図１２は、第６変形例における画像読取部の支持構造を示す側面図であり、図１２（Ｂ）は、第６変形例における画像読取部の支持構造において支柱部が撓んだ状態を示す側面図である。
【０１４４】
なお、図１１及び図１２では、画像読取部２００を簡略化して示している。また、第５変形例と同一の部分には同一の符号を付し、説明を省略する。
【０１４５】
第６変形例に係る圧縮機構３７０は、支柱部３６２の側面に取付けられた一対の梁３６４、３６７を備えている。梁３６４は、支柱部３６２の前方側に配置され、梁３６７は、支柱部３６２の後方側に配置されている。
【０１４６】
梁３６４は、一端部が、回転軸３６４Ａによって支柱部３６２の上部に回転可能に連結され、他端部が、回転軸３６４Ｂによって本体フレーム４００の側板４０２に回転可能に連結されている。梁３６７は、一端部が、回転軸３６７Ａによって支柱部３６２の上部に回転可能に連結され、他端部が、回転軸３６７Ｂによって本体フレーム４００の側板４０２に回転可能に連結されている。
【０１４７】
梁３６４、３６７は、装置の上下方向に沿って、一定間隔をおいて平行に配置されている。また、回転軸３６４Ａと回転軸３６７Ａとを結ぶ線Ｌ１と、回転軸３６４Ｂと回転軸３６７Ｂとを結ぶ線Ｌ２が平行となるように、回転軸３６４Ａ、回転軸３６７Ａ、回転軸３６４Ｂ、回転軸３６７Ｂの位置が調整されている。
【０１４８】
一対の梁３６４、３６７の間には、一対の梁３６４、３６７の中間部を回転可能に連結するリンク部材３６５が設けられている。リンク部材３６５は、一端部が回転軸３６５Ａによって梁３６４の中間部に連結され、他端部が回転軸３６５Ｂによって梁３６７の中間部に連結されている。リンク部材３６５は、回転軸３６４Ａと回転軸３６７Ａとを結ぶ線Ｌ１と、回転軸３６４Ｂと回転軸３６７Ｂとを結ぶ線Ｌ２とに平行に配置されている。
【０１４９】
また、リンク部材３６５は、梁３６４、３６７に沿って配置された腕部３６５Ａ、３６５Ｂを有している。腕部３６５Ａ、３６５Ｂの先端部と梁３６４、３６７の長手方向両端部との間には、それぞれ、緩衝部材３６６が設けられている。緩衝部材３６６としては、緩衝部材３１４と同様に、防振ゴム等の弾性部材などが用いられる。
【０１５０】
画像読取部２００の前方側が移動して、本体フレーム４００に対して支柱部３６２が前方へ変位すると、図１２（Ｂ）に示すように、梁３６４、３６７が斜めに傾く。
【０１５１】
梁３６４、３６７が斜めに傾くことにより、回転軸３６４Ａと回転軸３６７Ａとを結ぶ線Ｌ１に対する梁３６４の角度Ａ、回転軸３６４Ｂと回転軸３６７Ｂとを結ぶ線Ｌ２に対する梁３６７の角度Ｄが大きくなる。例えば、本体フレーム４００対して支柱部３６２が変位していない状態において（図１２（Ａ）参照）、角度Ａ及び角度Ｄが９０度であれば、本体フレーム４００対して支柱部３６２が変位して、梁３６４、３６７が斜めに傾くことにより、角度Ａ及び角度Ｄは鈍角になる。
【０１５２】
また、回転軸３６４Ａと回転軸３６７Ａとを結ぶ線Ｌ１に対する梁３６７の角度Ｂ、回転軸３６４Ｂと回転軸３６７Ｂとを結ぶ線Ｌ２に対する梁３６４の角度Ｃが小さくなる。例えば、支柱部３６２に対して支持板３６３が変位していない状態において（図１２（Ａ）参照）角度Ｂ及び角度Ｃが９０度であれば、支柱部３６２に対して支持板３６３の自由端部が下方へ変位して梁３６４、３６７が斜めに傾くことにより、角度Ｂ及び角度Ｃは鋭角になる。
【０１５３】
このとき、リンク部材３６５は、回転軸３６４Ａと回転軸３６７Ａとを結ぶ線Ｌ１及び回転軸３６４Ｂと回転軸３６７Ｂとを結ぶ線Ｌ２に対して、平行に保たれるので、腕部３６８Ａは梁３６７へ接近し、腕部３６８Ｂは梁３６４へ接近する。これにより、腕部３６８Ａと梁３６７とが、その間にある緩衝部材３６６を圧縮し、画像読取部２００から本体フレーム４００へ伝わる衝撃を緩衝する。
【０１５４】
この構成では、支柱部３６２の中間部での振動（変位量）が、リンク部材３６５を介し、梃子の利用より増幅されて、腕部３６８Ａの先端部及び腕部３６８Ｂの先端部へ伝達される。
【０１５５】
この腕部３６８Ａの先端部及び腕部３６８Ｂの先端部が緩衝部材３６６の圧縮、引張りを繰り返すことにより、振動エネルギーが熱エネルギーに変換され、支柱部３６２の振動が効率よく抑えられる。
【０１５６】
従って、支柱部３６２と本体フレーム４００との間に緩衝部材を設けて、緩衝部材を圧縮する場合に比べ、緩衝部材の圧縮量は増幅する。
【０１５７】
このように、第６変形例の構成によれば、圧縮機構３７０が、支柱部３６２が変位する変位量を増幅して、緩衝部材３６６を圧縮し、画像読取部２００から本体フレーム４００に伝わる衝撃を緩衝する。このため、画像読取部２００から本体フレーム４００へ伝わる衝撃が小さくても、緩衝部材３６６が作用して、衝撃を効率よく緩衝する。
【０１５８】
（第７変形例）
次に、第７変形例について説明する。
【０１５９】
第７変形例は、支持部３６０が変位する変位量を増幅して、緩衝部材３８６を圧縮し、画像読取部２００から本体フレーム４００に伝わる衝撃を緩衝する圧縮機構３８０を備えた構成である。
【０１６０】
図１３には、第７変形例における画像読取部の支持構造が、斜視図にて示されている。図１４は、第７変形例における画像読取部の支持構造を示す側面図であり、図１４（Ｂ）は、第７変形例における画像読取部の支持構造において梁部材が撓んだ状態を示す側面図である。
【０１６１】
なお、図１３及び図１４では、画像読取部２００を簡略化して示している。また、第５変形例と同一の部分には同一の符号を付し、説明を省略する。
【０１６２】
第７変形例に係る圧縮機構３８０は、梃子部材としての回転板３８２を備えている。回転板３８２は、側板３６３Ａに沿って配置された第１板３８２Ａと、支柱部３６２に沿って配置された第２板３８２Ｂとを備え、全体としてＬ字状に形成されている。
【０１６３】
回転板３８２は、屈曲部分で回転軸３８４に回転可能に支持されている。第１板３８２の先端部は、固定軸３８３によって側板３６３Ａに固定されている。第２板３８２Ｂは、第１板３８２よりも長く形成され、その先端部は自由状態にされている。
【０１６４】
第２板３８２Ｂの後方側には、緩衝部材３８６が配置されている。緩衝部材３８６としては、緩衝部材３１４と同様に、防振ゴム等の弾性部材などが用いられる。
【０１６５】
緩衝部材３８６は、本体フレーム４００に固定されたＬ字状に形成された取付け部３８７は、取り付けられている。回転板３８２が装置後方側（図１３においてＹ方向）へ回転することにより、第２板３８２Ｂの先端部は、緩衝部材３８６に当たって、緩衝部材３８６を圧縮する構成となっている。
【０１６６】
緩衝部材３８６に当たる第２板３８２Ｂの先端部から回転軸３８４までの距離は、回転軸３８４から固定軸３８３までの距離より長くなるように、第２板３８２Ｂの先端部が緩衝部材３８６に当たる位置、回転軸３８４及び回転軸の位置が調整されている。
【０１６７】
画像読取部２００の前方側が下方へ押されて、支柱部３６２に対して支持板３６３の自由端部が下方へ変位すると、図１４（Ｂ）に示すように、梁３６４、３６７が斜めに傾く。
【０１６８】
梁３６４、３６７が斜めに傾くことにより、回転板３８２が装置後方側（図１４（Ａ）及ぶ図１４（Ｂ）においてＹ方向）へ回転する。
【０１６９】
回転板３８２の第２板３８２Ｂの先端部は、固定軸３８３が下方へ変位する変位量よりも大きく、装置後方側へ変位して、緩衝部材３８６を圧縮する。すなわち、支持板３６３が変位する変位量を増幅して、腕部３６８Ａが梁３６７へ接近すると共に腕部３６８Ｂが梁３６４へ接近し、緩衝部材３６６を圧縮するようになっている。これにより、画像読取部２００から本体フレーム４００へ伝わる衝撃を緩衝する。
【０１７０】
第７変形例の構成によれば、圧縮機構３８０が、支持板３６３が変位する変位量を増幅して、緩衝部材３８６を圧縮し、画像読取部２００から本体フレーム４００に伝わる衝撃を緩衝する。このため、画像読取部２００から本体フレーム４００へ伝わる衝撃が小さくても、緩衝部材３８６が作用して、衝撃を効率よく緩衝する。
【０１７１】
なお、本実施形態では、緩衝部材として防振ゴムを用いたが、オイルダンパー、パウダーダンパー等を用いても良い。
【０１７２】
本発明は、本実施形態に限るものではなく、本発明の要旨を逸脱しない限りにおいて、種々の変形、変更、改良が可能である。
【図面の簡単な説明】
【０１７３】
【図１】図１は、本発明の実施形態に係る画像形成装置の全体構成を示す図である。
【図２】図２は、本実施形態に係る画像形成装置において、画像読取部のプラテンカバーを開放した状態を示す斜視図である。
【図３】図３は、本実施形態に係る画像形成装置における画像読取部の支持構造を示す分解斜視図である。
【図４】図４は、第１変形例における画像読取部の支持構造を示す分解斜視図である。
【図５】図５は、第１変形例における画像読取部の支持構造を示す分解斜視図である。
【図６】図６は、第２変形例における画像読取部の支持構造を示す分解斜視図である。
【図７】図７は、第３変形例における画像読取部の支持構造を示す分解斜視図である。
【図８】図８は、第４変形例における画像読取部の支持構造を示す分解斜視図である。
【図９】図９は、第５変形例における画像読取部の支持構造を示す斜視図である。
【図１０】図１０（Ａ）は、第５変形例における画像読取部の支持構造を示す側面図であり、図１０（Ｂ）は、第５変形例における画像読取部の支持構造において梁部材が撓んだ状態を示す側面図である。
【図１１】図１１は、第６変形例における画像読取部の支持構造を示す斜視図である。
【図１２】図１２は、第６変形例における画像読取部の支持構造を示す側面図であり、図１２（Ｂ）は、第６変形例における画像読取部の支持構造において支柱部が撓んだ状態を示す側面図である。
【図１３】図１３は、第７変形例における画像読取部の支持構造を示す斜視図である。
【図１４】図１４は、第７変形例における画像読取部の支持構造を示す側面図であり、図１４（Ｂ）は、第７変形例における画像読取部の支持構造において梁部材が撓んだ状態を示す側面図である。
【符号の説明】
【０１７４】
１０  デジタル複写機（画像形成装置）
１６  光走査装置（画像書き込み装置）
１００  画像形成部
２００  画像読取部
２０２  プラテンカバー（開閉部）
２１３  操作パネル（操作部）
３１０  支持部
３１４  緩衝部材
３２０  支柱部（支持部）
３２２  緩衝部材
３３０  支柱部（支持部）
３３３  緩衝部材
３４４  支柱部（支持部）
３４７  梁部材（片持ち部、支持部）
３４８  緩衝部材
３５２  支柱部（支持部）
３５４  梁部材（片持ち部、支持部）
３５５  緩衝部材
３５６Ｂ  後方板（阻止部）
３６０  支持部
３６２  支柱部（支持部）
３６３  支持板（片持ち部、支持部）
３６４  梁
３６５  リンク部材
３６６  緩衝部材
３６７  梁
３６８Ａ  腕部
３６８Ｂ  腕部
３６９  圧縮機構
３７０  圧縮機構
３８０  圧縮機構
３８２  回転板（梃子部材）
３８６  緩衝部材
４００  本体フレーム（フレーム）
４０８Ｂ  後方板（阻止部）
４１４  差込孔
【図１】
2008090001.tif 000003
【図２】
2008090001.tif 000004
【図３】
2008090001.tif 000005
【図４】
2008090001.tif 000006
【図５】
2008090001.tif 000007
【図６】
2008090001.tif 000008
【図７】
2008090001.tif 000009
【図８】
2008090001.tif 000010
【図９】
2008090001.tif 000011
【図１０】
2008090001.tif 000012
【図１１】
2008090001.tif 000013
【図１２】
2008090001.tif 000014
【図１３】
2008090001.tif 000015
【図１４】
2008090001.tif 000016